(57)【特許請求の範囲】
【請求項１】
下面に開口部を有する下ケースに上ケースを装着して形成された吸口本体と、前記吸口本体内部に形成される回転清掃体収納室と、前記回転清掃体収納室に回転可能に配置される回転清掃体と、前記回転清掃体を駆動させる電動機を備えた電気掃除機の吸口体において、
前記回転清掃体には、当該回転清掃体の筒状基体に左右方向の一端側から他端側にかけて配置された複数の清掃部材と、当該回転清掃体の両端に配置され当該回転清掃体を前記吸口本体に保持する保持部材と、を設け、
前記下ケース底面、かつ回転清掃体収納室の後方に固定刷毛を備え、
前記下ケース底面における前記固定刷毛の後方向には固定刷毛逃げ部が設けられており、
該吸口体が被清掃面に設置されていない場合に、前記固定刷毛は該下ケースの最下面より突出しており、
前記下ケースの最下面は、前記固定刷毛逃げ部の後方に位置し、かつ前記固定刷毛逃げ部の底面よりも被清掃面側に位置し、
該固定刷毛の突出した部分の長さは、前記固定刷毛逃げ部の前後方向の長さよりも短く、
前記固定刷毛逃げ部の底面は、前記下ケースの最下面と略平行であることを特徴とする電気掃除機の吸口体。
【発明の詳細な説明】
【技術分野】
【０００１】
本発明は電気掃除機の吸口体に関する。
【背景技術】
【０００２】
従来の電気掃除機の吸口体として、例えば特許文献１（特開平５−１７６８６９号公報），特許文献２（特開平５−１９２２７７号公報）がある。
【０００３】
これらの特許文献には、吸口体の吸込室に回転ブラシを配置し、この回転ブラシを電動機で回転駆動するようにしている。回転ブラシの左右両側には一対の駆動輪を設け、電動機を駆動することにより回転ブラシと共に駆動輪を回転させ、じゅうたん上での操作力を低減するようにしている。
【先行技術文献】
【特許文献】
【０００４】
【特許文献１】特開平５−１７６８６９号公報
【特許文献２】特開平５−１９２２７７号公報
【発明の概要】
【発明が解決しようとする課題】
【０００５】
しかしながら、上記特許文献１及び特許文献２では駆動輪を用いることで操作力を軽くすることはできるが、駆動輪はゴム等の弾性体や、ブレードで構成しているので、駆動輪における掻き上げ効果、及び拭き効果が、回転清掃体の他の部位に比べ悪化し、塵埃の取り残し等が発生するといった欠点があった。
【０００６】
特に近年の住宅は木床が多くなり、木床を掃除した場合、弾性体やブレードといった部材で駆動輪を構成した場合、駆動輪で木床を拭くことができず、塵埃の取り残しが発生するものである。
【０００７】
本発明は上記課題を解決し、操作力を低減すると共に、被掃除面上の塵埃の取り残しを抑制した電気掃除機の吸口体及びこれを備えた電気掃除機を提供することにある。
【課題を解決するための手段】
【０００８】
上記目的を達成するために本発明の特徴とするところは、下面に開口部を有する下ケースに上ケースを装着して形成された吸口本体と、前記吸口本体内部に形成される回転清掃体収納室と、前記回転清掃体収納室に回転可能に配置される回転清掃体と、前記回転清掃体を駆動させる電動機を備えた電気掃除機の吸口体において、前記回転清掃体には、当該回転清掃体の筒状基体に左右方向の一端側から他端側にかけて配置された複数の清掃部材と、当該回転清掃体の両端に配置され当該回転清掃体を前記吸口本体に保持する保持部材と、を設け、前記下ケース底面、かつ回転清掃体収納室の後方に固定刷毛を備え、前記下ケース底面における前記固定刷毛の後方向には固定刷毛逃げ部が設けられており、該吸口体が被清掃面に設置されていない場合に、前記固定刷毛は該下ケースの最下面より突出しており、前記下ケースの最下面は、前記固定刷毛逃げ部の後方に位置し、かつ前記固定刷毛逃げ部の底面よりも被清掃面側に位置し、該固定刷毛の突出した部分の長さは、前記固定刷毛逃げ部の前後方向の長さよりも短いことにある。
【発明の効果】
【０００９】
本発明によれば、操作力が重くなることを、防ぐことが可能となる電気掃除機の吸口体を提供することができる。
【図面の簡単な説明】
【００１０】
【図１】本発明の一実施例に係る回転清掃体２０４を示す図である。
【図２】本発明の一実施例に係る吸口体３０５の分解斜視図である。
【図３】本発明の一実施例に係る電気掃除機の全体外観図である。
【図４】本発明の一実施例に係る吸口体３０６の下面図である。
【図５】本発明の一実施例に係る吸口体３０６の中央断面図及び要部拡大図である。
【図６】本発明の一実施例に係る刷毛１０８の取り付け方法を説明する図である。
【図７】本発明の一実施例に係る回転清掃体の底面斜視図及び要部拡大図である。
【発明を実施するための形態】
【００１１】
以下、本発明に係る実施例を添付の図面を用いて説明する。図３は本発明の一実施例に係る電気掃除機の全体外観図である。
【００１２】
３０１は集塵部及び電動送風機を収容する掃除機本体、３０５は掃除機本体３０１の前部に接続され集塵部と連通するホース継手、３０２はホース継手３０５に回動可能に接続されたホースである。ホース３０２の一端はホース継手３０５を介して掃除機本体３０１に接続され、集塵部と連通している。３０３は一端がホース３０２の他端に回動可能に接続され、掃除機の運転の入切を行うスイッチ手段を有する手元操作部、３０５は一端が手元操作部３０３の他端に接続された伸縮可能な延長管、３０６は延長管３０５の他端に接続され掃除面の塵埃を吸込む吸口体である。
【００１３】
掃除機は掃除機本体３０１に収容された電動送風機で発生した吸引力により、延長管３０５，ホース３０２を介して吸口体３０５の下面から吸込んだ被清掃面の塵埃を集塵部内に搬送するようにしている。
【００１４】
図２は本発明の一実施例に係る吸口体３０５の分解斜視図を示す図である。図２において、２０１は下面に開口部を有する下ケース、２００は下ケースの上方に配置された上ケースである。下ケース２０１に上ケース２００を被着させることにより、吸口本体２５０を構成している。２１２は上ケース２００及び下ケース２０１で構成された回転清掃体収納室、２０４は回転清掃体収納室２１２に配置された回転清掃体、２０５は回転清掃体２０４を駆動するための電動機、２０７は吸口体を持ち上げたときに自動的に回転停止するための安全スイッチ、２０８は電動機側プーリー、２０９は減速プーリーを構成する大プーリー、２１０は減速プーリーを構成する小プーリー、２１１は大プーリー２０９と小プーリー２１０を連結するシャフトである。本実施例ではシャフト２１１に設けた大プーリー２０９及び小プーリー２１０により、回転清掃体２０４の回転軸端部に伝達する伝達機構を構成している。
【００１５】
２０２は吸口体本体内部と外部（掃除機本体）とを連通する空気通路が形成された自在継手のうち吸口体本体に対して上下方向に回動可能な第１の接続管、２０３は自在継手のうち前記第１の接続管に対して左右方向に回動可能な第２の接続管である。
【００１６】
図２において、回転清掃体２０４の回転軸に沿う方向を吸口体の左右方向と呼び、この左右方向は通常吸口体の左右方向と一致する。回転清掃体２０４の外周を周方向と呼ぶ。また、吸口体の上下方向に関しては、吸口体を水平な床面上に置いた状態で、開口部４０３が形成された側を下面側，反対側を上面側と呼ぶ。また、吸口の進行方向側を正面側，後退方向側を背面側として説明する。
【００１７】
図４は本発明の一実施例に係る吸口体３０６の下面図、図５は本発明の一実施例に係る吸口体３０６の中央断面図及び要部拡大図を示す。４０３は下ケース２０１に設けられた開口部で、被清掃面に面する。４０１は吸口本体２５０の外周に設けられたバンパー、４００は固定刷毛、４０３は後方車輪である。４０５は固定刷毛前方に設けた刷毛逃げ部Ａ、４０６は固定刷毛後方に設けた刷毛逃げ部Ｂである。２０７は吸口体を持ち上げたときに自動的に停止するための安全スイッチであり、２０７ａは被清掃面に設置されているかを検出するための床面検出車輪である。２１８は開口部４０３と第１の接続管とを連通する吸込開口である。
【００１８】
２２０は下ケース２０１の下面側に位置する軸受押さえ部材４０７を開閉するための係止部材であり、上ケース２００と下ケース２０１から張り出した支持部を回動軸とし、組み付けにより上下方向で支持し、係止部材２２０の抜け外れを規制している。
【００１９】
図１は本発明の一実施例に係る回転清掃体２０４を示す図である。回転清掃体２０４の清掃部材１０７は、繊維等による刷毛１０５の他、軟質のブレード１０４を用いて構成することができ、刷毛１０５やブレード１０４をそれぞれ単独で、或いは刷毛１０５とブレード１０４とを混在させて構成することができる。また、筒状基体を形成する部材に一体に成形した突出部で清掃部材を構成してもよい。いずれにしても、清掃部材１０７は筒状基体の外周面から外方に突出するように構成される。
【００２０】
回転清掃体２０４の両端には、前記回転清掃体２０４を前記吸口本体２５０へ保持する保持部材Ａ１１０，保持部材Ｂ１１１が設けられている。また、回転清掃体２０４の外周には刷毛台１０９に斜めに接着固定された円筒状の刷毛１０８が設けられる。刷毛１０８は密度が清掃部材１０７よりも高く、また、径方向に対する刷毛長さを清掃部材１０７よりも短く設定されている。
【００２１】
保持部材Ａ１１０は、下ケース２０１内部に設けられた主動軸継手部４０８（図４，図７）の凹凸噛合部Ａ７０１と噛合う凹凸からなる噛合部Ｂ１１２を有し、保持部材Ａ１１０と主動軸継手部４０８で回動力を伝える役割を果たす。
【００２２】
次に図６を用いて、刷毛１０８の取り付け方法を説明する。図６は本発明の一実施例に係る刷毛１０８の取り付け方法を説明する図であり、図６（ａ）は保持部材Ｂ４０８への刷毛１０８の取り付け方法を説明する図であり、図６（ｂ）は保持部材Ａ４０９への刷毛１０８の取り付け方法を説明する図である。
【００２３】
刷毛台１０９を保持部材Ａ４０９，保持部材Ｂ４０８へ押し込むと、保持部材Ａ４０９，保持部材Ｂ４０８の切欠き６０１ａ，６０１ｂにより爪部６０２が撓み、刷毛台１０９の内部へ入り込む。刷毛台１０９が爪部６０２を越えたところで、爪部６０２の撓みが元に戻り、左右方向が固定される。また、保持部材Ａ４０９，保持部材Ｂ４０８のリブ６０３と、刷毛台１０９の溝をはめ込むことで回転方向が固定される。このように単純な構成で円筒状の刷毛１０８を設けることができることから小型化が可能となる。また、刷毛台１０９は押し出し型で製作しても良いことから、大量生産時において、コストを抑えることも可能である。
【００２４】
次に本実施例の動作を説明する。掃除機使用者がハンドルグリップ３０３に設置された手元スイッチ３０４を操作すると、操作されたスイッチに従った動作モードで掃除機本体３０１内の電動送風機が運転する。電動送風機によって発生した吸引力は、ホース３０２，延長管３０５を通って吸口体３０６に到達する。それと同時に、ホース３０２および延長管３０５に設けられた電源線から供給された電源が、吸口体３０６内の回路基板２０６（図２）を介して電動機２０５を駆動する。電動機２０５とプーリー４１１，ベルト４１０で連結している回転清掃体２０４が回転することにより、回転清掃体２０４の清掃部材１０７である刷毛１０５やブレード１０４によって被掃除面からごみや塵埃を掻き上げて吸い込んでいる。
【００２５】
また、回転清掃体２０４が回転中、常に刷毛１０８が被清掃面へ接触しているので、吸口体３０６へは前進する力が働き、操作力が軽くなる。ここで、刷毛１０８の密度や、硬さ，高さ等を変更することで操作力の調整が可能となる。
【００２６】
また、刷毛１０８を斜めに貼り付け、刷毛の目を斜めにすることで、回転清掃体が回転した際、その目に沿い塵埃を回転清掃体室中心方向へと移動させることも可能である。
【００２７】
更に、吸口体３０６を前方へ操作した際、吸口体３０６底面の固定刷毛４００は刷毛逃げ部Ｂ４０６へと倒れ、また、後方へ動作した場合は刷毛逃げ部Ａ４０５へと倒れることにより床面との間に挟まることはない。これにより、固定刷毛４００が吸口体３０６底面との間に挟まり、操作力が重くなることを、防ぐことが可能となる。
【００２８】
また、刷毛逃げ部Ａ４０５，刷毛逃げ部Ｂ４０６を固定刷毛４００の前後のみとすることで、刷毛逃げ部Ａ４０５，刷毛逃げ部Ｂ４０６を設けても、回転清掃体収納室２１２内の静圧は、刷毛逃げ部Ａ４０５，刷毛逃げ部Ｂ４０６が無いときと変わらない。これにより、刷毛逃げ部Ａ４０５，刷毛逃げ部Ｂ４０６を設けても、吸込み性能は変わることはない。
【００２９】
図７に回転清掃体２０４の取り外し方を示す。図７は本発明の一実施例に係る回転清掃体の底面斜視図及び要部拡大図である。回転清掃体２０４の取り外しにあたっては、まず吸口体の下面側を上面側に向ける。係止部材２２０に操作者の指を添え、吸口体中央側から外側に回動させ、軸受押さえ部材４０７（図４）と係止部材２２０の係合を解除する。そして、下ケース２０１から軸受押さえ部材４０７を開け、軸受押さえ部材４０７を取り外す。
【００３０】
次に、回転清掃体２０４を、上方に引き上げるとことにより、回転清掃体２０４の保持部材Ａ１１０の噛合い部１１２（図１）と主動軸継手部４０８の噛合い部７０１が外れ、吸口体２０６から離脱できる。
【００３１】
これにより、回転清掃体２０４の刷毛１０８に糸くず等が付着した際も容易に回転清掃体２０４を取り外し、簡単に為糸くずなどの繊維状のものや、髪の毛等を取り除くことが可能となる。
【００３２】
本発明の各実施例は床移動型の掃除機だけでなく、アップライト式やスティック式の掃除機にも適用できる。モータ駆動方式の吸口だけでなく、エアー駆動方式にも適用できる。
【００３３】
以上説明したように本実施例によれば、回転清掃体へ回転清掃体の外周に沿った円筒状の刷毛を、回転清掃体収納室の左右方向の中心を対称軸として左右対象に複数又は、回転清掃体収納室の左右方向の中心に設けたことにより、この円筒状の刷毛が回転清掃体の回転中、常に何処かが被清掃面へ接触するため、吸口体の推進力を発生し、吸口体の操作力を改善すると共に、回転清掃体に設けられた他の刷毛同様に塵埃を掻き上げ、拭き効果を得ることができる。
【００３４】
また、本実施例によれば、円筒状の刷毛の密度を回転清掃体の他の刷毛よりも高くしたり、あるいは刷毛の高さを回転清掃体の他の刷毛よりも低くして腰を持たせることでより強い操作力を得ることができる。
【００３５】
また、本実施例によれば、回転清掃体の保持部材Ａ，Ｂに爪部及び切欠きを設けることで、刷毛台に貼り付けられた円筒状の刷毛を回転清掃体保持部材Ａ，Ｂへワンタッチで取り付けることが可能となるため、構成部品を少なくすることが可能となり、コストを抑えることが可能となる。
【符号の説明】
【００３６】
１０４  ブレード（清掃部材の一部）
１０５  刷毛（清掃部材の一部）
１０７  清掃部材
１０８  刷毛
１０９  刷毛台
２０４  回転清掃体
２１２  回転清掃体収納室
３０６  吸口体
４０７  軸受押さえ部材
【図１】
0005622830.tif 000002
【図２】
0005622830.tif 000003
【図３】
0005622830.tif 000004
【図４】
0005622830.tif 000005
【図５】
0005622830.tif 000006
【図６】
0005622830.tif 000007
【図７】
0005622830.tif 000008